(57)【特許請求の範囲】
【請求項１】
端末が実行する情報表示方法において、
いずれかのＷｉ−Ｆｉネットワークの現在の領域におけるｎ（ｎは２以上の整数）個のテストポイントの位置情報と無線信号強度を取得するステップと、
テストポイントごとに、当該テストポイントに対応する複数の無線信号強度から最大値を選択して当該テストポイントの無線信号強度とし、当該最大値に基づいて、当該テストポイントの位置情報が示す位置領域の信号強度指示情報を特定するステップと、
ｎ個のテストポイントの位置情報が示す位置領域が重複領域を形成した場合、前記ｎ個のテストポイントに対応する複数の無線信号強度に基づいて、前記重複領域に対応する複数の無線信号強度を算出し、最大値を選択して当該重複領域の無線信号強度とし、当該重複領域の無線信号強度に基づいて、当該重複領域の信号強度指示情報を特定するステップと、
各前記位置領域の信号強度指示情報に基づいて、信号強度分布図を生成するステップと、
前記信号強度分布図を表示するステップと、を含むことを特徴とする情報表示方法。
【請求項２】
前記信号強度分布図を表示するステップは、
前記信号強度分布図と前記現在の領域に対応する建築平面図とを位置マッチングするステップと、
位置マッチングの結果に基づいて、前記現在の領域に対応する建築平面図において前記信号強度分布図を表示するステップと、含むことを特徴とする請求項１に記載の情報表示方法。
【請求項３】
前記信号強度分布図と前記現在の領域に対応する建築平面図とを位置マッチングするステップは、
少なくとも１つの対象テストポイントの、前記現在の領域に対応する建築平面図における位置を取得するステップと、
前記少なくとも１つの対象テストポイントの、前記信号強度分布図における位置と前記現在の領域に対応する前記建築平面図における位置とをマッチングするステップと、を含むことを特徴とする請求項２に記載の情報表示方法。
【請求項４】
前記現在の領域に対応する領域名を取得するステップと、所定のピクチャライブラリから、前記領域名に対応する少なくとも１つの建築平面図を建築平面図候補として検索、取得するステップと、前記少なくとも１つの建築平面図候補を表示するステップと、対象建築平面図候補に対応する選択指示を検出した後に、前記対象建築平面図候補を前記現在の領域に対応する建築平面図とするステップと、をさらに含み、
又は、
カメラで撮像することにより、前記現在の領域に対応する建築平面図を取得するステップ、をさらに含み、
又は、
他の機器から前記現在の領域に対応する建築平面図を受信するステップと、をさらに含むことを特徴とする請求項２に記載の情報表示方法。
【請求項５】
各前記位置領域の信号強度指示情報に基づいて、信号強度分布図を生成するステップは、
各前記位置領域の信号強度指示情報に基づいて、それぞれ各前記位置領域をレンダリングし、前記信号強度分布図を形成するステップを含み、
前記信号強度指示情報は、色、透明度、充填パターンのうちのいずれか１つ又は２つ以上の組み合わせを含むことを特徴とする請求項１から４のいずれかに記載の情報表示方法。
【請求項６】
いずれかのＷｉ−Ｆｉネットワークの現在の領域におけるｎ（ｎは２以上の整数）個のテストポイントの位置情報と無線信号強度を取得するように構成される、取得モジュールと、
テストポイントごとに、当該テストポイントに対応する複数無線信号強度から最大値を選択して当該テストポイントの無線信号強度とし、当該最大値に基づいて、当該テストポイントの位置情報が示す位置領域の信号強度指示情報を特定するように構成される、第１特定モジュールと、
ｎ個のテストポイントの位置情報が示す位置領域が重複領域を形成した場合、前記ｎ個のテストポイントに対応する複数の無線信号強度に基づいて、前記重複領域に対応する複数の無線信号強度を算出し、最大値を選択して当該重複領域の無線信号強度とするように構成される算出モジュールと、
前記重複領域の信号強度に基づいて、前記重複領域の信号強度指示情報を特定するように構成される、第２特定モジュールと、
各前記位置領域の信号強度指示情報に基づいて、信号強度分布図を生成するように構成される、生成モジュールと、
前記信号強度分布図を表示するように構成される、表示モジュールと、を備えることを特徴とする情報表示装置。
【請求項７】
前記表示モジュールは、
前記信号強度分布図と前記現在の領域に対応する建築平面図とを位置マッチングするように構成される、マッチングサブモジュールと、
位置マッチングの結果に基づいて、前記現在の領域に対応する建築平面図において前記信号強度分布図を表示するように構成される、表示サブモジュールと、を備えることを特徴とする請求項６に記載の情報表示装置。
【請求項８】
前記マッチングサブモジュールは、
少なくとも１つの対象テストポイントの、前記現在の領域に対応する建築平面図における位置を取得し、
前記少なくとも１つの対象テストポイントの、前記信号強度分布図における位置と前記現在の領域に対応する前記建築平面図における位置とをマッチングするように構成されることを特徴とする請求項７に記載の情報表示装置。
【請求項９】
前記表示モジュールは、取得サブモジュールをさらに備え、
前記取得サブモジュールは、
前記現在の領域に対応する領域名を取得し、所定のピクチャライブラリから、前記領域名に対応する少なくとも１つの建築平面図を建築平面図候補として検索、取得し、前記少なくとも１つの建築平面図候補を表示し、対象建築平面図候補に対応する選択指示を検出した後に、前記対象建築平面図候補を前記現在の領域に対応する建築平面図とするように構成され、
又は、
カメラで撮像することにより、前記現在の領域に対応する建築平面図を取得するように構成され、
又は、
他の機器から前記現在の領域に対応する建築平面図を受信するように構成されることを特徴とする請求項７に記載の情報表示装置。
【請求項１０】
前記生成モジュールは、各前記位置領域の信号強度指示情報に基づいて、それぞれ各前記位置領域をレンダリングし、前記信号強度分布図を形成するように構成され、
前記信号強度指示情報は、色、透明度、充填パターンのうちのいずれか１つ、又は２つ以上の組み合わせを含むことを特徴とする請求項６から９のいずれかに記載の情報表示装置。
【請求項１１】
プロセッサと、
前記プロセッサの実行可能な指令を記憶するためのメモリと、を備え、
前記プロセッサは、
いずれかのＷｉ−Ｆｉネットワークの現在の領域におけるｎ（ｎは２以上の整数）個のテストポイントの位置情報と無線信号強度を取得し、
テストポイントごとに、当該テストポイントに対応する複数の無線信号強度から最大値を選択して当該テストポイントの無線信号強度とし、当該最大値に基づいて、当該テストポイントの位置情報が示す位置領域の信号強度指示情報を特定し、
ｎ個のテストポイントの位置情報が示す位置領域が重複領域を形成した場合、前記ｎ個のテストポイントに対応する複数の無線信号強度に基づいて、前記重複領域に対応する複数の無線信号強度を算出し、最大値を選択して当該重複領域の無線信号強度とし、当該重複領域の無線信号強度に基づいて、当該重複領域の信号強度指示情報を特定し、
各前記位置領域の信号強度指示情報に基づいて、信号強度分布図を生成し、
前記信号強度分布図を表示するように構成されることを特徴とする情報表示装置。
【発明の詳細な説明】
【技術分野】
【０００１】
本発明は、無線通信技術分野に関し、特に情報表示方法および装置に関する。
【背景技術】
【０００２】
通信技術の絶え間ない発展につれて、人々の仕事と生活は携帯電話、タブレットおよびノートパソコン等の各種の端末機器とは切り離せない状態になった。
【０００３】
端末機器の使用にはＷＬＡＮ（Ｗｉｒｅｌｅｓｓ  Ｌｏｃａｌ  Ａｒｅａ  Ｎｅｔｗｏｒｋｓ，無線ＬＡＮ）にアクセスする方法を用いることによりネットワークアクセスを実現することができる。現在、ユーザーがある固定位置のネットワーク接続状況によって、たとえば、ＷＬＡＮにアクセスできるかどうか、ページを開く速度等のネットワーク接続状況のみによって、当該固定位置の無線信号品質をおおまかに知るしかできない。
【発明の概要】
【発明が解決しようとする課題】
【０００４】
本発明の実施例は、情報表示方法および装置を提供する。当該解決手段を以下に説明する。
【課題を解決するための手段】
【０００５】
本発明の実施例の第１の態様によれば、情報表示方法を提供する。
【０００６】
前記方法は、
現在の領域における少なくとも１つのテストポイントの位置情報と無線信号強度を取得するステップと、
テストポイントごとに、当該テストポイントの無線信号強度に基づいて、当該テストポイントの位置情報が示す位置領域の信号強度指示情報を特定するステップと、
各前記位置領域の信号強度指示情報に基づいて、信号強度分布図を生成するステップと、
前記信号強度分布図を表示するステップと、を含む。
【０００７】
好ましくは、前記信号強度分布図を表示するステップは、
前記信号強度分布図と前記現在の領域に対応する建築平面図とを位置マッチングするステップと、
位置マッチングの結果に基づいて、前記現在の領域に対応する建築平面図において前記信号強度分布図を表示するステップと、を含む。
【０００８】
好ましくは、前記信号強度分布図と前記現在の領域に対応する建築平面図とを位置マッチングするステップは、
少なくとも１つの対象テストポイントの前記現在の領域に対応する建築平面図における位置を取得するステップと、
前記少なくとも１つの対象テストポイントの前記信号強度分布図における位置と前記現在の領域に対応する前記建築平面図における位置をマッチングするステップと、を含む。
【０００９】
好ましくは、前記方法は、
前記現在の領域に対応する領域名を取得するステップと、所定のピクチャライブラリから前記領域名に対応する少なくとも１つの建築平面図を建築平面図候補として検索、取得するステップと、前記少なくとも１つの建築平面図候補を表示するステップと、対象建築平面図候補に対応する選択指示を検出した後に、前記対象建築平面図候補を前記現在の領域に対応する建築平面図とするステップと、をさらに含み、
又は、
カメラで撮像することにより、前記現在の領域に対応する建築平面図を取得するステップ、をさらに含み、
又は、
他の機器から前記現在の領域に対応する建築平面図を受信するステップと、をさらに含む。
【００１０】
好ましくは、前記方法は、
ｎ（ｎは２以上の整数）個のテストポイントの位置情報が示す位置領域が重複領域を形成した場合、前記ｎ個のテストポイントの無線信号強度に基づいて、前記重複領域の無線信号強度を算出するステップと、
前記重複領域の信号強度に基づいて、前記重複領域の信号強度指示情報を特定するステップと、をさらに含む。
【００１１】
好ましくは、各前記位置領域の信号強度指示情報に基づいて、信号強度分布図を生成するステップは、
各前記位置領域の信号強度指示情報に基づいて、それぞれ各前記位置領域をレンダリングし、前記信号強度分布図を形成するステップを含み、
前記信号強度指示情報は、色、透明度、充填パターンのうちのいずれか１つ又は２つ以上の組み合わせを含む。
【００１２】
本発明の実施例の第２の態様によれば、情報表示装置を提供する。
【００１３】
前記装置は、
現在の領域における少なくとも１つのテストポイントの位置情報と無線信号強度を取得するように構成される、取得モジュールと、
テストポイントごとに、当該テストポイントの無線信号強度に基づいて、当該テストポイントの位置情報が示す位置領域の信号強度指示情報を特定するように構成される、第１特定モジュールと、
各前記位置領域の信号強度指示情報に基づいて、信号強度分布図を生成するように構成される、生成モジュールと、
前記信号強度分布図を表示するように構成される、表示モジュールと、を備える。
【００１４】
好ましくは、前記表示モジュールは、
前記信号強度分布図と前記現在の領域に対応する建築平面図とを位置マッチングするように構成される、マッチングサブモジュールと、
位置マッチングの結果に基づいて、前記現在の領域に対応する建築平面図において前記信号強度分布図を表示するように構成される、表示サブモジュールと、を備える。
【００１５】
好ましくは、前記マッチングサブモジュールは、
少なくとも１つの対象テストポイントの、前記現在の領域に対応する建築平面図における位置を取得し、
前記少なくとも１つの対象テストポイントの、前記信号強度分布図における位置と前記現在の領域に対応する前記建築平面図における位置とをマッチングするように構成される。
【００１６】
好ましくは、前記表示モジュールは、取得サブモジュールをさらに備え。
【００１７】
前記取得サブモジュールは、前記現在の領域に対応する領域名を取得し、所定のピクチャライブラリから、前記領域名に対応する少なくとも１つの建築平面図を建築平面図候補として検索、取得し、前記少なくとも１つの建築平面図候補を表示し、対象建築平面図候補に対応する選択指示を検出した後に、前記対象建築平面図候補を前記現在の領域に対応する建築平面図とするように構成され、
又は、
前記取得サブモジュールは、カメラで撮像することにより、前記現在の領域に対応する建築平面図を取得するように構成され、
又は、
前記取得サブモジュールは、他の機器から前記現在の領域に対応する建築平面図を受信するように構成される。
【００１８】
好ましくは、前記装置は、
ｎ（ｎは２以上の整数）個のテストポイントの位置情報が示す位置領域が重複領域を形成した場合、前記ｎ個のテストポイントの無線信号強度に基づいて、前記重複領域の無線信号強度を算出する、ように構成される前記算出モジュールと、
前記重複領域の信号強度に基づいて、前記重複領域の信号強度指示情報を特定するように構成される、第２特定モジュールと、をさらに備える。
【００１９】
好ましくは、前記生成モジュールは、各前記位置領域の信号強度指示情報に基づいて、それぞれ各前記位置領域をレンダリングし、前記信号強度分布図を形成するように構成され、
前記信号強度指示情報は、色、透明度、充填パターンのうちのいずれか１つ、又は２つ以上の組み合わせを含む。
【００２０】
本発明の実施例の第３の態様によれば、情報表示装置を提供する。
【００２１】
前記装置は、
プロセッサと、
前記プロセッサの実行可能な指令を記憶するためのメモリと、を備え、
前記プロセッサは、
現在の領域における少なくとも１つのテストポイントの位置情報と無線信号強度を取得し、
テストポイントごとに、当該テストポイントの無線信号強度に基づいて、当該テストポイントの位置情報が示す位置領域の信号強度指示情報を特定し、
各前記位置領域の信号強度指示情報に基づいて、信号強度分布図を生成し、
前記信号強度分布図を表示するように構成される。
【発明の効果】
【００２２】
本発明の実施例にかかる技術案は、以下の格別な作用効果を含むことができる。
【００２３】
現在の領域における少なくとも１つのテストポイントの位置情報と無線信号強度を取得することにより、テストポイントごとに、当該テストポイントの無線信号強度に基づいて、当該テストポイントの位置情報が示す位置領域の信号強度指示情報を特定し、各位置領域の信号強度指示情報に基づいて、信号強度分布図を生成し、関連技術においてユーザーがある固定位置の無線信号品質をおおまかにしか知ることができないという問題を解決する。ユーザーへ現在の領域の無線信号強度分布状況を示すことにより、ユーザーはより明確に領域全体の無線信号品質と現在の領域の各位置における無線信号品質の差異を知ることができる。これにより、ユーザーはより効率良く、正確に無線信号品質の高い位置にてインターネットに接続させることができる。
【００２４】
前記した普通的な記述および後続する詳細な記述は、単に例示的および解釈的なものであり、本発明を制限できるものでないと理解されるべきである。
【図面の簡単な説明】
【００２５】
ここでの図面は、明細書を構成する一部として見なされ、本発明に適した実施例を示し、且つ、明細書の文字記載とともに本発明の仕組みを解釈するために用いられる。
【図１】一実施例にかかる情報表示方法を示すフローチャートである。
【図２Ａ】別の一実施例にかかる情報表示方法を示すフローチャートである。
【図２Ｂ】一実施例にかかる重複領域を示す図である。
【図２Ｃ】一実施例にかかる信号強度分布図を示す図である。
【図３】一実施例にかかる情報表示装置を示すブロック図である。
【図４】別の一実施例にかかる情報表示装置を示すブロック図である。
【図５】一実施例にかかる装置を示すブロック図である。
【発明を実施するための形態】
【００２６】
次に、実施例を詳細に説明し、例示が図に示されている。以下の記述が図に係る場合、別途にて示さない限り、異なる図面における同じ符号は、同じ又は類似する要素を示す。以下の実施例に記述される実施形態は、本発明と一致する全ての実施形態を代表するとは限らない。逆に、それらは、添付する特許請求の範囲に記載されているように、本発明の一部の態様と一致する装置および方法の例に過ぎない。
【００２７】
本発明の実施例は情報表示方法を提供しており、無線ネットワークアクセス機能を有する端末機器に用いることができる。例えば、携帯電話、タブレット、電子書籍リーダー、パーソナル・デジタル・アシスタント、マルチメディア再生機器およびノートパソコンなどのモバイル端末機器に用いることができる。さらには、スマートブレスレット、スマートウォッチ、スマートグラス、スマートヘルメットなどのウェアラブル機器に用いることもできる。
【００２８】
この他に、本発明の実施例において、無線ネットワークはＩＥＥＥ（Ｉｎｓｔｉｔｕｔｅ  ｏｆ  ＥｌｅｃｔｒｉｃＡｌ  Ａｎｄ  Ｅｌｅｃｔｒｏｎｉｃｓ  Ｅｎｇｉｎｅｅｒｓ，米国電気電子学会）８０２．１１シリーズの基準であるＷＬＡＮネットワークに準拠することができる。しかし、０２．１１Ａ、８０２．１１ｂ、８０２．１１ｇ、８０２．１１ｎ又は８０２．１１Ａｃ基準を代表とするＷｉ−Ｆｉ（Ｗｉｒｅｌｅｓｓ  Ｆｉｄｅｌｉｔｙ，ワイヤレスフィデリティ）ネットワーク、次世代Ｗｉ−Ｆｉネットワーク又は次世代ＷＬＡＮネットワーク等に限らない。又は、本発明の実施例において、無線ネットワークはモバイル通信の基準であるモバイル通信ネットワークに準拠することもできる。しかし、ＧＳＭ（登録商標）（ＧｌｏｂＡｌ  Ｓｙｓｔｅｍ  Ｆｏｒ  Ｍｏｂｉｌｅ  ＣｏｍｍｕｎｉｃＡｔｉｏｎ，グローバルモバイル通信）ネットワーク、３Ｇ（ｔｈｅ  ３ｒｄ  ＧｅｎｅｒＡｔｉｏｎ  ｍｏｂｉｌｅ  ｃｏｍｍｕｎｉｃＡｔｉｏｎ  ｔｅｃｈｎｏｌｏｇｙ，第三世代モバイル通信技術）ネットワーク、４Ｇ（ｔｈｅ  ４ｔｈ  ＧｅｎｅｒＡｔｉｏｎ  ｍｏｂｉｌｅ  ｃｏｍｍｕｎｉｃＡｔｉｏｎ  ｔｅｃｈｎｏｌｏｇｙ，第四世代モバイル通信技術）ネットワーク又は次世代モバイル通信ネットワーク等に限らない。
【００２９】
説明と理解の便宜上、下記各方法における実施例では特別な説明がない限りは、各ステップの実行主体を端末とし、無線ネットワークをＷｉ−Ｆｉネットワークとして例示する。しかし本発明は、これについて限定しない。
【００３０】
図１に示すように、図１は一実施例にかかる情報表示方法を示すフローチャートである。当該情報表示方法は端末機器に用いられ、以下のステップを含むことができる。
【００３１】
ステップ１０２では、現在の領域における少なくとも１つのテストポイントの位置情報と無線信号強度を取得する。
【００３２】
ステップ１０４では、テストポイントごとに、当該テストポイントの無線信号強度に基づいて、当該テストポイントの位置情報が示す位置領域の信号強度指示情報を特定する。
【００３３】
ステップ１０６では、各位置領域の信号強度指示情報に基づいて、信号強度分布図を生成する。
【００３４】
ステップ１０８では、信号強度分布図を表示する。
【００３５】
好ましくは、信号強度分布図を表示するステップは、
信号強度分布図と現在の領域に対応する建築平面図とを位置マッチングするステップと、
位置マッチングの結果に基づいて、現在の領域に対応する建築平面図上に信号強度分布図を表示するステップ、を含む。
【００３６】
好ましくは、信号強度分布図と現在の領域に対応する建築平面図とを位置マッチングするステップは、
少なくとも１つの対象テストポイントの現在の領域に対応する建築平面図における位置を取得するステップと、
少なくとも１つの対象テストポイントの、信号強度分布図における位置と現在の領域に対応する建築平面図における位置とをマッチングするステップと、を含む。
【００３７】
好ましくは、当該方法は、
現在の領域に対応する領域名を取得するステップと、所定のピクチャライブラリから領域名に対応する少なくとも１つの建築平面図を検索、取得し、建築平面図候補とするステップと、当該少なくとも１つの建築平面図候補を表示するステップと、対象建築平面図候補に対応する選択指示を検出した後に、当該対象建築平面図候補を現在の領域に対応する建築平面図とするステップと、
又は、
カメラで撮像することにより、現在の領域に対応する建築平面図を取得するステップと、
又は、
他の機器から現在の領域に対応する建築平面図を受信するステップと、をさらに含む。
【００３８】
好ましくは、当該方法は、
ｎ個のテストポイントの位置情報が示す位置領域が重複領域を形成した場合、ｎ個のテストポイントの無線信号強度に基づいて、重複領域の無線信号強度を算出ステップであって、前記ｎは２より大きい又は等しい整数とする前記算出ステップと、
重複領域の信号強度に基づいて、重複領域の信号強度指示情報を特定するステップと、をさらに含む。
【００３９】
好ましくは、各位置領域の信号強度指示情報に基づいて、信号強度分布図を生成するステップは、
各位置領域の信号強度指示情報に基づいて、それぞれ各位置領域をレンダリングし、信号強度分布図を形成するステップを含む。
【００４０】
ここで、信号強度指示情報は、色、透明度、充填パターンのうちのいずれか１つ又は２つ以上の組み合わせを含む。
【００４１】
総じて、本実施例が提供する情報表示方法は、現在の領域における少なくとも１つのテストポイントの位置情報と無線信号強度を取得することにより、テストポイントごとに、当該テストポイントの無線信号強度に基づいて、当該テストポイントの位置情報が示す位置領域の信号強度指示情報を特定し、各位置領域の信号強度指示情報に基づいて、信号強度分布図を生成且つ表示し、関連技術においてユーザーがある固定位置の無線信号品質をおおまかにしか知ることができないという問題を解決する。ユーザーへ現在の領域の無線信号強度分布状況を示すことにより、ユーザーはより明確に領域全体の無線信号品質と現在の領域の各位置における無線信号品質の差異を知ることができる。これにより、ユーザーはより効率良く、正確に無線信号品質の高い位置にてインターネットに接続することができる。
【００４２】
図２Ａに示すように、図２Ａは、別の一実施例にかかる情報表示方法を示すフローチャートである。該情報表示方法は端末機器に用いられ、以下のステップを含むことができる。
【００４３】
ステップ２０１では、現在の領域における少なくとも１つのテストポイントの位置情報と無線信号強度を取得する。
【００４４】
ユーザーが現在の領域の無線信号強度分布状況を知りたい場合、ユーザーは端末機器を手に持って現在の領域内を移動することができる。ユーザーが移動中に端末機器の現在の領域において少なくとも１つのテストポイントの位置情報と無線信号強度を取得する。
【００４５】
現在の領域が住宅、オフィス、商業施設などの屋内環境にある場合、端末機器は関連する屋内ポジショニング技術を用いて現在の領域における少なくとも１つのテストポイントの位置情報を取得することができる。例えば、関連する屋内ポジショニング技術は、慣性ポジショニング技術、無線ポジショニング技術（例：Ｗｉ−Ｆｉポジショニング技術、ＺｉｇＢｅｅポジショニング技術、Ｂｌｕｅｔｏｏｔｈ（登録商標）ポジショニング技術、超広帯域ポジショニング技術、無線周波数ポジショニング技術等）、赤外線ポジショニング技術、超音波ポジショニング技術等を含むがこれに限らない。現在の領域が体育場、公園、街道などの屋外環境にある場合、端末機器は関連する屋外ポジショニング技術は、現在の領域における少なくとも１つのテストポイントの位置情報を取得することができる。例えば、関連する屋外ポジショニング技術は、ＧＰＳ（Ｇｌｏｂａｌ  Ｐｏｓｉｔｉｏｎｉｎｇ  Ｓｙｓｔｅｍ，グローバル・ポジショニング・システム）ポジショニング技術、基地局ポジショニング技術等を含むがこれに限らない。本実施例は、屋内環境の無線信号強度分布状況をテスト、提示することを主としている。例えば、携帯電話、タブレットなどの端末機器が通常ジャイロスコープ、加速度センサ、磁力計等のセンサを備えていること、且つ外部環境に対するハードウェア配置条件を可能な限り引き下げることを鑑みると、屋内環境については、端末機器に備えるセンサにより屋内ポジショニングとテストポイントの位置情報の収集を実現させる。例えば、ジャイロスコープと加速度センサの組み合わせにより慣性ポジショニングを実現し、磁力計と加速度センサの組み合わせによりドリフトレスポジショニングを実現し、ジャイロスコープ、磁力計および加速度センサの組み合わせにより冗長ポジショニング等を実現させる。端末機器に備えるセンサにより屋内ポジショニングを行えば、外部環境に対するハードウェア配置条件は必要無くなり、位置情報と移動軌道の収集を実現させことができ、本方案の操作可能性と実行性を高める。
【００４６】
この他に、すでに説明している通り、本実施例にかかるネットワークはＷＬＡＮネットワークに適用しても良く、モバイル通信ネットワークに適用しても良い。屋内のＷｉ−Ｆｉ信号強度分布状況に対するテストを例とし、ユーザーが端末機器を手に持って移動しているときに、端末機器は内部センサにより順に少なくとも１つのテストポイントの位置情報を収集し、且つ各位置情報に対応するＷｉ−Ｆｉ信号強度を収集することができる。ここで、端末機器が無線信号強度を取得するフローは本分野技術員は容易に想定できる内容であるため、ここでは詳細な説明はしない。
【００４７】
収集した位置情報と無線信号強度の精度を高めるため、ユーザーがある対象領域の無線信号強度分布状況をテストしなければならない場合、ユーザーは端末機器を手に持って移動するときに、可能な限り当該対象領域内にて比較的平坦な場所を移動し、速度を早めず、且つ移動範囲を対象領域全体とすることを確保しなければならない。
【００４８】
ステップ２０２では、テストポイントごとに、当該テストポイントの無線信号強度に基づいて、当該テストポイントの位置情報が示す位置領域の信号強度指示情報を特定する。
【００４９】
テストポイントごとに、当該テストポイントの位置情報が示す位置領域は、当該テストポイントを中心とする所定の位置領域でも良い。当該所定の位置領域の形状は、円形、正方形、正六角形のうちいずれか１つを含むがこれに限らない。当該所定の位置領域の面積はデフォルト値でも良い。
【００５０】
この他に、信号強度指示情報は、色、透明度、充填パターンのうちのいずれか１つ又は２つ以上の組み合わせを含むがこれに限らない。異なる信号強度指示情報は異なる無線信号強度の表示に用いる。各信号強度指示情報は無線信号強度値の表示又は無線信号強度取得値区間の表示に用いる。
【００５１】
信号強度指示情報を色で示す例では、信号強度指示情報と無線信号強度との間の対応関係は以下の表−１にて示すことができる。
【００５２】
【表１】
0006321160.tif 000002
例えば、前記表−１が示す対応関係を合わせると、仮にあるテストポイントの無線信号強度が−４０ｄＢｍであれば、当該テストポイントに対応する位置領域の信号強度指示情報は橙色となる。当然、前記表−１が示す対応関係は例示と説明のためのみであり、実際には必要に応じて区分することができる。本実施例は、これについて限定しない。
【００５３】
この他に、ｎ個のテストポイントの位置情報が示す位置領域が重複領域を形成した場合、ｎ個のテストポイントの無線信号強度に基づいて、重複領域の無線信号強度を算出する。重複領域の信号強度に基づいて、重複領域の信号強度指示情報を特定し、ここでは、ｎは２より大きい又は等しい整数とする。実行可能な実施方法において、前記ｎ個のテストポイントの無線信号強度の平均値を重複領域の無線信号強度とする。図２Ｂを参照し、テストポイントＡに対応する位置領域とテストポイントＢに対応する位置領域とに重複領域（図において横線で示す領域）を形成し、仮にテストポイントＡの無線信号強度が−４０ｄＢｍであり、テストポイントＢの無線信号強度が−３０ｄＢｍであれば、当該重複領域の無線信号強度は−３５ｄＢｍとなる。前記表−１が示す対応関係から、テストポイントＡに対応する位置領域において重複領域を除く領域の信号強度指示情報は橙色であることが分かり、テストポイントＢに対応する位置領域において重複領域を除く領域の信号強度表示情はオレンジ色であることが分かり、重複領域の信号強度指示情報もまたオレンジレッド色であることが分かる。
【００５４】
当然、これらは信号強度指示情報を色に例えて説明しただけであり、他の実行可能な実施方法において、信号強度指示情報は、色、透明度、充填パターンのうちのいずれか１つ又は２つ以上の組み合わせを含むがこれに限らない。例えば、異なる透明度により異なる無線信号強度を表示する。透明度が高いほど、無線信号強度は高いことを示し、透明度が低いほど、無線信号強度は低いことを示す。
【００５５】
ステップ２０３では、各位置領域の信号強度指示情報に基づいて、それぞれ各位置領域をレンダリングし、信号強度分布図を形成する。
【００５６】
端末機器は各位置領域の信号強度指示情報に基づいて、信号強度分布図をレンダリング、形成する。信号強度分布図において、異なる信号強度指示情報は異なる無線信号強度を示す。ユーザーは信号強度分布図における各位置の信号強度指示情報に基づいて、現在の領域内における各位置の無線信号強度分布状況を知ることができる。
【００５７】
この他に、端末機器は生成した信号強度分布図を直接表示することができる。本実施例において、ユーザーにより簡単に、直接的に現在の領域内における各位置の無線信号強度分布状況を知らせるため、端末機器は信号強度分布図と現在の領域に対応する建築平面図とを合わせて表示し、ステップ２０４とステップ２０５を含む。
【００５８】
ステップ２０４では、信号強度分布図と現在の領域に対応する建築平面図とを位置マッチングする。
【００５９】
ここで、位置をマッチングするとは、信号強度分布図と現在の領域に対応する建築平面図に対応する位置をフィッティングし、ユーザーが現在の領域に対応する建築平面図と合わせて、より簡単に、直接的に実際の環境において各位置における無線信号強度分布状況を知ることができるようにすることを指す。
【００６０】
実行可能な実施方法において、端末機器は少なくとも１つの対象テストポイントの現在の領域に対応する建築平面図における位置を取得し、少なくとも１つの対象テストポイントの信号強度分布図における位置と現在の領域に対応する建築平面図における位置とをマッチングする。ここで、対象テストポイントは、開始テストポイント、終了テストポイント又はユーザーが選択した中間テストポイントにおける１つ又は複数のポイントを含むがこれに限らない。開始テストポイントと終了テストポイントを含む対象テストポイントを例とすると、ユーザーは自身のテスト中の実際の移動状況に基づいて、現在の領域に対応する建築平面図から開始テストポイントの位置と終了テストポイントの位置を識別する。これに応じて、端末機器は開始テストポイントの信号強度分布図と建築平面図中の位置および終了テストポイントの信号強度分布図と建築平面図中の位置に基づいて、当該２つの図の位置をマッチングすることができる。
【００６１】
当然、これまでに例示した実施方法以外にも他の実行可能な実施方法において、端末機器は信号強度分布図の形状および現在の領域に対応する建築平面図の形状を合わせて、これら２つの位置をマッチングすることができる。又は、端末機器は画像識別技術に基づいて、信号強度分布図と現在の領域に対応する建築平面図からそれぞれ対応する特徴ポイントを識別し、これら２つの位置をマッチングすることができる。ここで、特徴ポイントとは、エッジポイント、コーナーポイント等でも良い。
【００６２】
この他に、端末機器は、以下のいくつかの実行可能な方法により現在の領域的建築平面図を取得することができる。
【００６３】
第１の実行可能な方法では、現在の領域に対応する領域名を取得ステップと、所定のピクチャライブラリから領域名に対応する少なくとも１つの建築平面図を検索、取得し、建築平面図候補とするステップと、当該少なくとも１つの建築平面図候補を表示するステップと、対象建築平面図候補に対応する選択指示を検出した後に、対象建築平面図候補を現在の領域に対応する建築平面図とするステップと、を含む。所定のピクチャライブラリは、領域名と建築平面図との間の対応関係を含む。ここで、領域名は、居住区名称、ビル名称、商業施設名称、体育会場名称等を含むがこれに限らない。所定のピクチャライブラリは端末機器ローカルに記憶させることができ、クラウドサーバーに記憶させることもできる。端末機器のメモリリソースを節約するため、同時に取得する建築平面図の精度を高めるため、所定のピクチャライブラリをクラウドサーバーに記憶する。クラウドサーバーは定期的に所定のピクチャライブラリ内容を補充、修正および更新することができる。１つの例において、ユーザーは端末機器に居住区名称を入力し、端末機器はクラウドサーバーへ当該居住区名称を携帯する取得要求を送信する。クラウドサーバーは、所定のピクチャライブラリから当該居住区名称に対応する少なくとも１つの建築平面図を検索、取得し、当該少なくとも１つの建築平面図を端末機器へ送信する。当該建築平面図は間取り図でも良い。端末機器は受信した建築平面図を表示し、ユーザーにこの中から現在の領域に対応する建築平面図を選択させる。
【００６４】
第２の実行可能な方法では、カメラで撮像し、現在の領域に対応する建築平面図を取得する。例えば、ユーザーは端末機器を使用して現在の領域に対応する紙媒体の建築平面図を撮影することができる。
【００６５】
第３の実行可能な方法では、他の機器から現在の領域に対応する建築平面図を受信する。例えば、端末機器は他の機器から現在の領域に対応する電子版の建築平面図を受信することができる。
【００６６】
好ましくは、端末機器が前記第２と第３の方法を用いて現在の領域に対応する建築平面図を取得する場合に、現在の領域に対応する領域名と建築平面図を対応させてクラウドサーバーへ送信できる。これにより、クラウドサーバーは所定のピクチャライブラリを更新、メンテナンスすることができる。
【００６７】
ステップ２０５では、位置マッチングの結果に基づいて、現在の領域に対応する建築平面図上に信号強度分布図を表示する。
【００６８】
端末機器が位置マッチングの結果に基づいて、現在の領域に対応する建築平面図上に信号強度分布図を表示する。図２Ｃに示すように、図２Ｃは信号強度分布図を示す図である。図２Ｃでは、信号強度分布図は現在の領域に対応する建築平面図上に表示され、これにより、ユーザーは現在の領域全体の各位置における無線信号強度分布状況を知ることができる。例えば、位置領域２１（ルーター付近）では無線信号強度は比較的高いが、位置領域２２（ベランダ）では無線信号強度は比較的低い等を知ることができる。
【００６９】
総じて、本実施例が提供する情報表示方法は、現在の領域における少なくとも１つのテストポイントの位置情報と無線信号強度を取得することにより、テストポイントごとに、当該テストポイントの無線信号強度に基づいて、当該テストポイントの位置情報が示す位置領域の信号強度指示情報を特定し、各位置領域の信号強度指示情報に基づいて、信号強度分布図を生成且つ表示し、関連技術においてユーザーがある固定位置の無線信号品質をおおまかにしか知ることができないという問題を解決する。ユーザーへ現在の領域の無線信号強度分布状況を示すことにより、ユーザーはより明確に領域全体の無線信号品質と現在の領域の各位置における無線信号品質の差異を知ることができる。これにより、ユーザーはより効率良く、正確に無線信号品質の高い位置にてインターネットに接続することができる。
【００７０】
この他に、さらに信号強度分布図と現在の領域に対応する建築平面図との位置をマッチングし、位置マッチングの結果に基づいて、現在の領域に対応する建築平面図上に信号強度分布図を表示することにより、ユーザーはより簡単に、直接的に現在の領域内における各位置の無線信号強度分布状況を知ることができる。
【００７１】
前記実施例にかかる情報表示方法における各ステップの実行フローは１つのアプリケーションにより実現でき、ユーザーは携帯電話、タブレットなどのような端末機器に当該アプリケーションをインストールすることができる。ユーザーが現在の領域の無線信号強度分布状況を知りたい場合、ユーザーは当該アプリケーションを開き、実行させ、端末機器を手に持って対象領域内を移動するだけで、簡単、便利に当該対象領域内における無線信号強度分布状況をテストすることができる。
【００７２】
対象領域内に複数の同タイプの無線ネットワークが存在する場合、例えば、複数のＷｉ−Ｆｉネットワークが存在する場合、いずれか単数のＷｉ−Ｆｉネットワークの当該対象領域内における無線信号強度分布状況について、端末機器は前記図１又は図２Ａに示す実施例にかかるステップフローを用いてテスト、提示を行うことができる。この他に、当該対象領域内における無線信号強度分布状況全体を提示しなければならない場合、対象領域内における各位置について、端末は当該位置に対応する複数の無線信号強度から最大値を選択すし、当該位置の無線信号強度とする。さらに、当該位置の信号強度指示情報を特定し、最後に各位置の信号強度指示情報を統合すれば、無線信号強度分布状況全体の信号強度を示す信号強度分布図を描くことができる。
【００７３】
以下は本発明の装置にかかる実施例であり、本発明の方法における実施例の実行に用いることができる。本発明の装置にかかる実施例において詳細を説明していない部分は、本発明の方法における実施例を参照できる。
【００７４】
図３に示すように、図３は実施例にかかる情報表示装置を示すブロック図である。当該情報表示装置は端末機器に用いることができる。当該情報表示装置は、取得モジュール３１０と、生成モジュール３３０と、表示モジュール３４０と、を備えることができる。
【００７５】
前記取得モジュール３１０は、現在の領域における少なくとも１つのテストポイントの位置情報と無線信号強度を取得するように構成される。
【００７６】
前記第１特定モジュール３２０は、テストポイントごとに、取得モジュール３１０に基づいて、当該テストポイントの無線信号強度を取得し、当該テストポイントの位置情報が示す位置領域の信号強度指示情報を特定するように構成される。
【００７７】
前記生成モジュール３３０は、第１特定モジュール３２０が特定した各位置領域の信号強度指示情報に基づいて、信号強度分布図を生成するように構成される。
【００７８】
前記表示モジュール３４０は、生成モジュール３３０が生成した信号強度分布図を表示するように構成される。
【００７９】
総じて、本実施例にかかる情報表示装置は、現在の領域における少なくとも１つのテストポイントの位置情報と無線信号強度を取得することにより、テストポイントごとに、当該テストポイントの無線信号強度に基づいて、当該テストポイントの位置情報が示す位置領域の信号強度指示情報を特定し、各位置領域の信号強度指示情報に基づいて、信号強度分布図を生成且つ表示し、関連技術においてユーザーがある固定位置の無線信号品質をおおまかにしか知ることができないという問題を解決する。ユーザーへ現在の領域の無線信号強度分布状況を示すことにより、ユーザーはより明確に領域全体の無線信号品質と現在の領域の各位置における無線信号品質の差異を知ることができる。これにより、ユーザーはより効率良く、正確に無線信号品質の高い位置にてインターネットに接続させることができる。
【００８０】
図４に示すように、図４は別の一実施例にかかる情報表示装置を示すブロック図である。当該情報表示装置は、端末機器に用いることができる。当該情報表示装置は、取得モジュール３１０と、第１特定モジュール３２０と、生成モジュール３３０と、表示モジュール３４０と、を備えることができる。
【００８１】
前記取得モジュール３１０は、現在の領域における少なくとも１つのテストポイントの位置情報と無線信号強度を取得するように構成される。
【００８２】
前記第１特定モジュール３２０は、テストポイントごとに、取得モジュール３１０に基づいて、当該テストポイントの無線信号強度を取得し、当該テストポイントの位置情報が示す位置領域の信号強度指示情報を特定するように構成される。
【００８３】
前記生成モジュール３３０は、第１特定モジュール３２０が特定した各位置領域の信号強度指示情報に基づいて、信号強度分布図を生成するように構成される。
【００８４】
前記表示モジュール３４０は、生成モジュール３３０が生成した信号強度分布図を表示するように構成される。
【００８５】
好ましくは、表示モジュール３４０は、マッチングサブモジュール３４０ａと、表示サブモジュール３４０ｂと、を備える。
【００８６】
前記マッチングサブモジュール３４０ａは、生成モジュール３３０が生成した信号強度分布図と現在の領域に対応する建築平面図とを位置マッチングするように構成される。
【００８７】
前記表示サブモジュール３４０ｂは、マッチングサブモジュール３４０ａの位置マッチングの結果に基づいて、現在の領域に対応する建築平面図上の信号強度分布図を表示するように構成される。
【００８８】
実行可能な実施方法において、マッチングサブモジュール３４０ａは、少なくとも１つの対象テストポイントの現在の領域に対応する建築平面図における位置を取得し、少なくとも１つの対象テストポイントの信号強度分布図における位置と現在の領域に対応する建築平面図における位置とをマッチングするように構成される。
【００８９】
好ましくは、表示モジュール３４０は取得サブモジュール３４０ｃをさらに備える。
【００９０】
一実行可能な実施方法において、取得サブモジュール３４０ｃは、現在の領域に対応する領域名を取得し、所定のピクチャライブラリから領域名に対応する少なくとも１つの建築平面図を検索、取得し、建築平面図候補とするステップと、当該少なくとも１つの建築平面図候補を表示し、対象建築平面図候補に対応する選択指示を検出した後に、当該対象建築平面図候補を現在の領域に対応する建築平面図とように構成される。
【００９１】
他の実行可能な実施方法において、取得サブモジュール３４０ｃはカメラで撮像することにより、現在の領域に対応する建築平面図を取得するように構成される。
【００９２】
他の実行可能な実施方法において、取得サブモジュール３４０ｃは  他の機器から現在の領域に対応する建築平面図を受信するように構成される。
【００９３】
好ましくは、当該装置は、算出モジュール３２２と、第２特定モジュール３２４と、を備える。
【００９４】
前記算出モジュール３２２は、ｎ個のテストポイントの位置情報が示す位置領域が重複領域を形成した場合、ｎ個のテストポイントの無線信号強度に基づいて、重複領域の無線信号強度を算出する。ここでは、ｎは２より大きい又は等しい整数とするように構成される。
【００９５】
前記第２特定モジュール３２４は、算出モジュール３２２に基づいて、重複領域の無線信号強度を算出し、重複領域の信号強度指示情報を特定するように構成される。
【００９６】
好ましくは、生成モジュール３３０は、第１特定モジュール３２０が特定した各位置領域の信号強度指示情報に基づいて、それぞれ各位置領域をレンダリングし、信号強度分布図を形成するように構成される。
【００９７】
ここで、信号強度指示情報は、色、透明度、充填パターンのうちのいずれか１つ又は２つ以上の組み合わせを含む。
【００９８】
総じて、本実施例にかかる情報表示装置，現在の領域における少なくとも１つのテストポイントの位置情報と無線信号強度を取得することにより、テストポイントごとに、当該テストポイントの無線信号強度に基づいて、当該テストポイントの位置情報が示す位置領域の信号強度指示情報を特定し、各位置領域の信号強度指示情報に基づいて、信号強度分布図を生成且つ表示し、関連技術においてユーザーがある固定位置の無線信号品質をおおまかにしか知ることができないという問題を解決する。ユーザーへ現在の領域の無線信号強度分布状況を示すことにより、ユーザーはより明確に領域全体の無線信号品質と現在の領域の各位置における無線信号品質の差異を知ることができる。これにより、ユーザーはより効率良く、正確に無線信号品質の高い位置にてインターネットに接続させることができる。
【００９９】
この他に、さらに信号強度分布図と現在の領域に対応する建築平面図との位置をマッチングし、位置マッチングの結果に基づいて、現在の領域に対応する建築平面図上に信号強度分布図を表示することにより、ユーザーはより簡単に、直接的にユーザーにより簡単に、直接的に現在の領域内における各位置の無線信号強度分布状況を知ることができる。
【０１００】
実施例の装置における各モジュールが操作を実行する具体的内容は当該方法に関する実施例で詳しく記述したため、ここで詳細に説明しない。
【０１０１】
本発明にかかる実施例はさらに情報表示方法を実現できる情報表示装置を提供した。当該装置は、プロセッサと、プロセッサの実行可能な指令を記憶するためのメモリと、を備える。
前記プロセッサは、
現在の領域における少なくとも１つのテストポイントの位置情報と無線信号強度を取得し、
テストポイントごとに、前記テストポイントの無線信号強度に基づいて、前記テストポイントの位置情報が示す位置領域の信号強度指示情報を特定し、
各前記位置領域の信号強度指示情報に基づいて、信号強度分布図を生成し、
前記信号強度分布図を表示するように構成される。
【０１０２】
好ましくは、プロセッサは、
信号強度分布図と現在の領域に対応する建築平面図との位置をマッチングし、
位置マッチングの結果に基づいて、現在の領域に対応する建築平面図上に信号強度分布図を表示する。
【０１０３】
好ましくは、プロセッサは、
少なくとも１つの対象テストポイントの現在の領域に対応する建築平面図における位置を取得し、
少なくとも１つの対象テストポイントの信号強度分布図における位置と現在の領域に対応する建築平面図における位置とをマッチングするように構成される。
【０１０４】
好ましくは、プロセッサは、現在の領域に対応する領域名を取得し、所定のピクチャライブラリから領域名に対応する少なくとも１つの建築平面図を検索、取得し、建築平面図候補とし、当該少なくとも１つの建築平面図候補を表示し、対象建築平面図候補に対応する選択指示を検出した後に、当該対象建築平面図候補を現在の領域に対応する建築平面図とする。
又は、プロセッサは、カメラで撮像することにより、現在の領域に対応する建築平面図を取得する。
又は、プロセッサは、  他の機器から現在の領域に対応する建築平面図を受信する。
【０１０５】
好ましくは、当該プロセッサはさらに、
ｎ個のテストポイントの位置情報が示す位置領域が重複領域を形成した場合、ｎ個のテストポイントの無線信号強度に基づいて、重複領域の無線信号強度を算出する。ここでは、ｎは２より大きい又は等しい整数とする。
さらに、当該プロセッサは、重複領域の信号強度に基づいて、重複領域の信号強度指示情報を特定する。
【０１０６】
好ましくは、プロセッサは、
各位置領域の信号強度指示情報に基づいて、それぞれ各位置領域をレンダリングし、信号強度分布図を形成ように構成される。
ここで、信号強度指示情報は、色、透明度、充填パターンのうちのいずれか１つ又は２つ以上の組み合わせを含む。
【０１０７】
図５に示すように、図５は一実施例にかかる装置５００を示すブロック図である。例えば、装置５００はモバイルフォン、コンピュータ、デジタルボロードキャスト端末、メッセージ送受信機器、ゲーム機、タブレット機器、医療機器、フィットネス機器、パーソナル・デジタル・アシスタント等である。
【０１０８】
図５を参照すると、装置５００は、処理ユニット５０２、メモリ５０４、電源ユニット５０６、マルチメディアユニット５０８、オーディオユニット５１０、入力／出力（Ｉ／Ｏ）インターフェース５１２、センサユニット５１４、および、通信ユニット５１６のうちの１つ又は複数を含んでもよい。
【０１０９】
処理ユニット５０２は、通常は、表示、電話発呼、データ通信、カメラ操作および記録操作に関連する操作のような、装置５００の全般操作を制御する。処理ユニット５０２は、上記方法の全部又は一部のステップを実施させるように、指令を実行するための１つ又は複数のプロセッサ５２０を含んでもよい。また、処理ユニット５０２は、処理ユニット５０２と他のユニットとの間の相互作用を容易にするように、１つ又は複数のモジュールを含んでもよい。例えば、処理ユニット５０２は、マルチメディアユニット５０８と処理ユニット５０２との間の相互作用を容易にするように、マルチメディアモジュールを含んでもよい。
【０１１０】
メモリ５０４は、各タイプのデータを記憶して装置５００での操作をサポートするように構成される。これらのデータの例示は、装置５００で操作するための任意のアプリケーションもしくは方法の指令、連絡人データ、電話帳データ、メッセージ、ピクチャ、ビデオなどを含む。メモリ５０４は、如何なる種別の揮発性もしくは不揮発性記憶装置又はそれらの組合せで実現されてもよい。例えば、静的ランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスク又は光ディスクであってもよい。
【０１１１】
電源ユニット５０６は、装置５００のユニットのそれぞれに電力を供給する。電源ユニット５０６は、電源管理システム、１つ又は複数の電源、並びに、装置５００用の電力を生成、管理および配分するに関する他のユニットを含んでもよい。
【０１１２】
マルチメディアユニット５０８は、前記装置５００とユーザとの間に１つの出力インターフェースを供給するスクリーンを含む。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、タッチスクリーンとして実現されてもよい。タッチパネルは、タッチ、スライドおよびタッチパネルでのジェスチャを感知するように、１つ又は複数のタッチセンサを含む。前記タッチセンサは、タッチあるいはスライド動作の境界を感知するだけではなく、前記タッチあるいはスライド操作と関連する持続時間および圧力をさらに検出することができる。一部の実施例では、マルチメディアユニット５０８は、１つのフロントカメラおよび／又はバックカメラを含む。装置５００が操作モード、例えば、撮影モードあるいはビデオモードであるとき、フロントカメラおよび／又はバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【０１１３】
オーディオユニット５１０は、オーディオ信号を出力および／又は入力するように構成される。例えば、オーディオユニット５１０は、マイク（ＭＩＣ）を備え、装置５００が操作モード、例えば、発呼モード、記録モードおよび音声識別モードであるとき、マイクは、外部オーディオ信号を受信するように構成される。受信されたオーディオ信号は、さらに、メモリ５０４に格納される、又は、通信ユニット５１６を介して送信されることができる。一部の実施例では、オーディオユニット５１０は、オーディオ信号を出力するためのスピーカをさらに含む。
【０１１４】
Ｉ／Ｏインターフェース５１２は、処理ユニット５０２とペリフェラルインターフェースモジュールとの間でインターフェースを供給するものであり、前記ペリフェラルインターフェースモジュールは、キーボード、クリックホイール、ボタンなどであってもよい。これらのボタンには、ホームページボタン、ボリュームボタン、起動ボタンおよびロックボタンが含まれてもよいが、それらに限定されない。
【０１１５】
センサユニット５１４は、様々な側面での状態推定を装置５００に供給するための１つ又は複数のセンサを含む。例えば、センサユニット５１４は、装置５００のオン／オフ状態、ユニットの相対位置を検出することができ、前記ユニットは、例えば、装置５００のディスプレイおよびキーパッドである。センサユニット５１４は、さらに、装置５００もしくは装置５００の１つのユニットの位置変更、ユーザと装置５００との接触の存在もしくは非存在、装置５００の方位もしくは加速／減速および装置５００の温度変化をさらに検出することができる。センサユニット５１４は、如何なる物理的接触もないとき、近辺にある物体の存在を検出するための近接センサを含んでもよい。センサユニット５１４は、さらに、イメージングアプリケーションに使用される光センサ、例えばＣＭＯＳ又はＣＣＤ画像センサを含んでもよい。一部の実施例では、当該センサユニット５１４は、さらに、加速度センサ、ジャイロセンサ、磁気センサ、圧力センサ又は温度センサを含んでもよい。
【０１１６】
通信ユニット５１６は、装置５００と他の機器間の無線又は有線方式の通信ができるように構成される。装置５００は、通信規格に基づく無線ネットワーク、例えば、ＷｉＦｉ、２Ｇもしくは３Ｇ、又はそれらの組合せにアクセスすることができる。ある実施例では、通信ユニット５１６は、外部ブロードキャスト管理システムからのブロードキャスト信号又はブロードキャスト関連情報をブロードキャストチャネルを介して受信する。ある実施例では、前記通信ユニット５１６は、さらに、短距離通信を容易にするように、ニアフィールド通信（ＮＦＣ）モジュールを含む。例えば、ＮＦＣモジュールは、無線周波数識別（ＲＦＩＤ）技術、赤外データ協会（ＩｒＤＡ）技術、超広帯域（ＵＷＢ）技術、ブルートゥース（登録商標）（ＢＴ）技術および他の技術によって実現されてもよい。
【０１１７】
実施例では、装置５００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又は他の電子部品によって実現されてもよい。
【０１１８】
実施例では、指令を含む非一時的コンピュータ読み取り可能な記憶媒体、例えば、指令を含むメモリ５０４をさらに提供し、上記指令が装置５００のプロセッサ５２０によって実行されることで上述方法を実施させることができる。例えば、前記非一時的コンピュータ読み取り可能な記憶媒体は、ＲＯＭ、ランダムアクセスメモリ（ＲＡＭ）、ＣＤ−ＲＯＭ、磁気テープ、フロッピー（登録商標）ディスクおよび光データ記憶機器などであってもよい。
【０１１９】
当業者は明細書を考慮し、ここに公開された開示を実践した後、本発明の他の実施案を容易に想到する。本願は、本発明の如何なる変形、用途又は適合もカバーすることを意図する。これらの変形、用途又は適合は、本発明の一般的な仕組みに従い、かつ、本発明に公開されていない当分野における公知常識又は慣用技術手段を含む。明細書および実施例は単なる例示と見なされ、本発明の本当の範囲および思想は添付する特許請求の範囲によって与えられる。
【０１２０】
本発明が以上で記載され、且つ図面に示された正確な構造に限定されるものでなく、その要旨を逸脱しない範囲で様々な補正や変更も可能であることは理解されるべきである。本発明の範囲は、添付する特許請求の範囲のみによって限定される。
【０１２１】
本発明は、出願番号が２０１５１０５２４１０９Ｘであり、出願日が２０１５年８月２４日である中国特許出願を基に提出するものであり、当該中国特許出願の優先権を主張し、当該中国特許出願の全ての内容は、参照のため本願に援用される。
【図１】
0006321160.tif 000003
【図２Ａ】
0006321160.tif 000004
【図２Ｂ】
0006321160.tif 000005
【図２Ｃ】
0006321160.tif 000006
【図３】
0006321160.tif 000007
【図４】
0006321160.tif 000008
【図５】
0006321160.tif 000009